(57)【要約】【課題】排気筒内への雨水の侵入を防止ししつつ、排気筒の頂部開口からの水素を含むガスを、排気口を通して鉛直上側に大気中に放出可能な排気トップを提供する。【解決手段】実施形態の排気トップ１０は、排気筒の頂部２の開口である頂部開口３より鉛直上側であって当該頂部開口３より径方向外側において環状に延びており且つ当該頂部開口３からの水素を含むガスを鉛直上側に向けて大気中に放出する環状の排気口２２と、当該頂部開口３からのガスの流れを、径方向外側に導いた後、鉛直上側にある前記排気口２２に導く排気通路２４と、を有するボディ２０を備える。排気筒のうち頂部開口３を囲う部分である開口縁部４と、前記ボディ２０との間、詳細には、下側ボディ４０のうち鉛直下側にある開口縁部４４との間には、排気口２２を通して排気通路２４に流入した雨水を、排気筒外、具体的には、頂部２の径方向外側に排出可能な空隙８が、形成されている。【選択図】図１
2020094738.tif 000002
【特許請求の範囲】
【請求項１】
排気筒の頂部開口より鉛直上側であって当該頂部開口より径方向外側において環状に延びており且つ当該頂部開口からのガスを鉛直上側に向けて大気中に放出する排気口と、当該頂部開口からのガスの流れを径方向外側に導いた後、鉛直上側にある前記排気口に導く排気通路と、を有するボディを、備え、
前記排気筒のうち前記頂部開口を囲う部分である開口縁部と、前記ボディとの間には、前記排気口を通して前記排気通路に流入した雨水を、前記排気筒外に排出可能な空隙が、形成されている
ことを特徴とする排気トップ。
【請求項２】
前記排気筒の頂部と前記ボディとの間に配置されて当該ボディを当該頂部に接続する複数の接続部を有し、
当該複数の接続部は、前記開口縁部の周方向に間隔をあけて配列されており、
前記空隙は、当該周方向に隣り合う前記接続部の間に、形成されている
ことを特徴とする請求項１に記載の排気トップ。
【請求項３】
前記ボディは、
前記頂部開口より鉛直上側において略水平方向に広がっており、前記排気通路に面する上側ボディと、
前記開口縁部から径方向外側に所定の間隔をあけて配置されており、前記接続部から前記径方向外側に広がっており、前記排気通路に面している下側ボディと、
を含み、
前記接続部は、
前記開口縁部の径方向外側において鉛直方向に延びており、前記上側ボディと前記下側ボディとを接続する鉛直方向部材を、含む
ことを特徴とする請求項２に記載の排気トップ。
【請求項４】
前記上側ボディは、その底部が略水平方向に広がる皿状をなしており、
当該上側ボディの鉛直上側であって前記排気口の径方向内側に配置されており、当該上側ボディを覆う天板を、
さらに備えることを特徴とする請求項３に記載の排気トップ。
【請求項５】
前記天板は、
前記排気口に向かうに従って鉛直下側に位置するよう水平方向に対して傾斜する外面を、有し、
当該外面で受けた雨水を、前記排気口に流す
ことを特徴とする請求項４に記載の排気トップ。
【請求項６】
前記接続部は、
前記鉛直方向部材と、前記排気筒の頂部との間に配置されており、当該頂部の外面に接合される接続パッドを、含む
ことを特徴とする請求項３ないし請求項５のいずれか一項に記載の排気トップ。
【請求項７】
前記接続パッドには、ボルトの雄ねじと螺合する雌ねじが形成されており、
前記鉛直方向部材には、当該雄ねじを通す通し穴が形成されており、
前記上側ボディ及び前記下側ボディが結合された前記鉛直方向部材の外側から、当該通し穴に前記雄ねじを通し、当該雄ねじを前記雌ねじに螺合させることにより、前記ボディは、前記接続部を介して前記排気筒に結合される
ことを特徴とする請求項６に記載の排気トップ。
【請求項８】
前記排気通路を横切って前記空隙の近傍に配置されており、複数の開口が配列されており、当該開口を通るガスの流れに流動抵抗を生じさせる流動抵抗部材を、
さらに備えることを特徴とする請求項１ないし請求項７のいずれか一項に記載の排気トップ。
【請求項９】
前記流動抵抗部材は、金属で構成された網状の部材である
ことを特徴とする請求項８に記載の排気トップ。
【請求項１０】
前記流動抵抗部材は、
前記頂部開口の径方向外側において当該頂部開口より鉛直上側に、前記排気筒と同軸に延びる略筒状をなしている
ことを特徴とする請求項８又は請求項９に記載の排気トップ。
【請求項１１】
前記排気口を覆うように配置されており、前記排気通路への鳥又は異物の侵入を防止可能なバードスクリーンを、
さらに備えることを特徴とする請求項１ないし請求項１０のいずれか一項に記載の排気トップ。
【請求項１２】
前記ボディは、
フックと係合可能な係合部を有し、
当該係合部及び当該フックを介して、前記排気筒と接続されている
ことを特徴とする請求項１ないし請求項１１のいずれか一項に記載の排気トップ。
【請求項１３】
前記係合部は、前記ボディの外面から突出しており、貫通穴を有する
ことを特徴とする請求項１２に記載の排気トップ。
【請求項１４】
「排気トップを備えた排気筒を有する施設」
請求項１ないし請求項１３のいずれか一項に記載の排気トップを備えた前記排気塔を有することを特徴とする施設。
【請求項１５】
排気筒の頂部にある頂部開口からのガスを鉛直上側に向けて大気中に放出する環状の排気口と、当該頂部開口からのガスの流れを前記排気口に導く排気通路と、を有するボディのうち、当該排気通路に面する上側ボディと、当該排気通路に面する下側ボディとを、所定の方向に延びる鉛直方向部材を介して結合して排気トップを形成する工程と、
前記排気筒の頂部の外面のうち前記鉛直方向部材の鉛直下側の端部に対応する位置に、接続パッドを接合する工程と、
前記鉛直方向部材のうち鉛直下側の端部を、前記接続パッドと重ね合わせて前記排気トップを前記排気筒の頂部に結合する工程と、
を含むことを特徴とする排気トップを備えた排気筒の製造方法。
【発明の詳細な説明】
【技術分野】
【０００１】
本発明の実施形態は、ガスを、大気中に放出する排気筒に関し、特に、原子力施設において水素を含むガスを大気中に拡散、放出する排気筒の頂部に設けられる排気トップに関する。
【背景技術】
【０００２】
原子力施設等には、一般的に、施設内において生じたガスを、大気中に放出する設備、いわゆる排気筒が設けられている。例えば、原子炉建屋内に配置された格納容器内において、炉心損傷等の過酷事故が生じた場合には、格納容器内において水素が発生し、原子炉建屋内には、水素を含むガスが充満することがある。このような水素を含むガスには、放射性物質が含まれている場合がある。当該ガスに含まれる放射性物質は、ベントフィルタ等を用いて低減又は除去される。排気筒は、このような排気処理（いわゆるオフガス処理）が行われた水素を含むガスを、施設等から鉛直上側（以下、単に「鉛直上側」と記す）に導き、十分に高い位置で大気中に放出することが望ましい。
【０００３】
このような排気筒の鉛直方向の上側の先端部（以下、「頂部」と記す）には、良好な排気を行い且つ雨水の侵入を防ぐために、排気トップが設けられる場合がある。排気筒の開口から、雨水が侵入すると、ガスの流動方向の上流側（すなわち鉛直方向の下側）にあるベントフィルタ等の設備に悪影響を及ぼす恐れがある。雨水の侵入を防止するために、排気トップには、様々な構造のものが提案されている。
【先行技術文献】
【特許文献】
【０００４】
【特許文献１】特開２０１５−６８５５１号公報
【特許文献２】特許第４３７０５８８号公報
【発明の概要】
【発明が解決しようとする課題】
【０００５】
排気トップにおいて、排気筒からのガスを大気中に放出するための開口（以下、排気口と記す）には、様々な構造のものがある。上述した特許文献に記載の排気トップは、燃焼機器の排気筒に設けられるものであり、燃焼したガスを大気中に放出するためのものである。特許文献に記載の排気トップは、雨水の排気筒内への侵入を防止すると共に、放出したガスに含まれるスス等により目詰まりの発生を防止することが求められている。
【０００６】
一方、原子力施設等に設けられる排気筒には、水素を含むガスを、安全に大気中に拡散、放出することが要望されており、ガスを放出する向きを、鉛直上側にすることが望ましい。ガスを放出する方向を、例えば、水平方向（いわゆる横向き）にすると、放射性物質を含むガスの吹き下げにより、周辺環境に影響を与える可能性が、上向きに比べて高いためである。ガスを放出する向きを、鉛直上側にした場合、当該ガスを施設から鉛直方向に導く排気筒の頂部にある開口（以下、頂部開口と記す）の向きは、通常、鉛直上側となる。この場合、排気トップにおいては、雨水が直接、頂部開口を通して排気筒内に侵入することを防止する必要がある。加えて、水素を含むガスを、鉛直上側に流動させて排気トップの鉛直上側にある開口（以下、排気口と記す）を通して大気中に放出する技術が求められている。
【０００７】
本発明の実施形態は、上記事情に鑑みてなされたものであって、排気筒内への雨水の侵入を防止ししつつ、排気筒の頂部開口からの水素を含むガスを、排気口を通して鉛直上側に大気中に放出可能な排気トップ、並びに、かかる排気トップを備えた施設を提供することを目的とする。
【課題を解決するための手段】
【０００８】
上述の目的を達成するため、本発明の実施形態の排気トップは、排気筒の頂部開口より鉛直上側であって当該頂部開口より径方向外側において環状に延びており且つ当該頂部開口からのガスを鉛直上側に向けて大気中に放出する排気口と、当該頂部開口からのガスの流れを径方向外側に導いた後、鉛直上側にある前記排気口に導く排気通路と、を有するボディを、備え、前記排気筒のうち前記頂部開口を囲う部分である開口縁部と、前記ボディとの間には、前記排気口を通して前記排気通路に流入した雨水を、前記排気筒外に排出可能な空隙が、形成されていることを特徴とする。
【０００９】
また、本発明の実施形態の排気トップを備えた排気筒の製造方法は、排気筒の頂部にある頂部開口からのガスを鉛直上側に向けて大気中に放出する環状の排気口と、当該頂部開口からのガスの流れを前記排気口に導く排気通路と、を有するボディのうち、当該排気通路に面する上側ボディと、当該排気通路に面する下側ボディとを、所定の方向に延びる鉛直方向部材を介して結合して排気トップを形成する工程と、前記排気筒の頂部の外面のうち前記鉛直方向部材の鉛直下側の端部に対応する位置に、接続パッドを接合する工程と、前記鉛直方向部材のうち鉛直下側の端部を、前記接続パッドと重ね合わせて前記排気トップを前記排気筒の頂部に結合する工程と、を含むことを特徴とする。
【発明の効果】
【００１０】
本発明の実施形態によれば、雨水が直接、頂部開口を通して排気筒内に侵入することを防止すると共に、当該排気口を通して排気通路に流入した雨水を、頂部開口を囲う開口縁部とボディとの間に形成された空隙を通して排気筒外に排出ししつつ、水素を含むガスを排気口を通して鉛直上側に大気中に放出することができる。
【図面の簡単な説明】
【００１１】
【図１】第１の実施形態に係る排気トップの部分断面図であり、排気トップの断面立面と、正面とを示す図である。
【図２】第１の実施形態に係る排気トップの上面図であり、上側ボディが天板で覆われた上面と、天板及び上側ボディの底部を省略した上面とを示す図である。
【図３】第１の実施形態に係る排気トップにおける水素を含むガスと雨水のそれぞれの流れを示す図である。
【図４】第２の実施形態に係る排気トップの部分断面図であり、排気トップの断面立面と、正面とを示す図である。なお、図４は、ボルトで排気トップを排気筒に結合する態様を示している。
【図５】第３の実施形態に係る排気トップの部分断面図であり、排気トップの断面立面と、正面とを示す図である。なお、図５には、排気トップの排気口に網状の部材（バードスクリーン）が配置された態様を示している。
【図６】第３の実施形態に係る排気トップの上面図であり、上側ボディが天板で覆われた上面と、天板及び上側ボディの底部を省略した上面とを示す図である。
【図７】第４の実施形態に係る排気トップの部分断面図であり、排気トップの断面立面と、正面とを示す図である。なお、図７は、排気トップの落下を防止するための構造を示している。
【発明を実施するための形態】
【００１２】
以下に、本発明の実施形態について図面を参照して説明する。なお、以下に説明する実施形態により、本発明が限定されるものではなく、その要旨を逸脱しない範囲において種々の変更が可能である。
【００１３】
〔第１の実施形態〕
本実施形態の排気トップについて、図１〜図３を参照して説明する。図１は、本実施形態に係る排気トップの部分断面図であり、排気トップの断面立面と、正面とを示す図である。図２は、本実施形態に係る排気トップの上面図であり、上側ボディが天板で覆われた上面と、天板及び上側ボディの底部を省略した上面とを示す図である。図３は、本実施形態に係る排気トップにおける水素を含むガスと雨水のそれぞれの流れを示す図である。なお、図１において、鉛直方向のうち上側を、矢印Ｕで示し、以下の説明において、単に「鉛直上側」と記す。また、鉛直方向のうち下側を、矢印Ｄで示し、以下の説明において、単に「鉛直下側」と記す。
【００１４】
図１及び図２に示すように、本実施形態の排気トップ１０は、排気筒の鉛直上側に配置されており、排気筒内を流れるガスを、大気中に拡散、放出するものである。排気トップ１０は、「排気トップ」、「エキゾースト・ターミナル（exhaust terminal）」又は「ベント・ターミナル（vent terminal）」とも呼称される。
【００１５】
本実施形態において、排気筒は、原子力施設内、例えば、内部に格納容器（図示せず）を有する原子炉建屋内において生じたガスを、鉛直上側の比較的高い位置に導くものである。このような施設内においては、例えば、格納容器内にある炉心が損傷する事故等が生じた場合に、水素を含んだガスが生じ、当該ガスが施設内に充満する場合がある。このような場合に、排気筒は、施設内に充満した水素を含んだガスを、当該施設より高い位置に導く。
【００１６】
排気筒は、概ね鉛直方向に延びており、少なくとも鉛直上側を形成する頂部２は、図１に示すように、鉛直方向に延びている。排気筒は、その頂部２に、頂部開口３を有する。排気筒の頂部開口３からは、水素を含んだガスが流出する。本実施形態において排気筒のうち少なくとも頂部２は、略円筒状をなしている。詳細には、頂部２は、その軸心（図に一点鎖線Ａで示す）に垂直な断面、いわゆる横断面が、略円形をなしている。頂部開口３も、同様に、略円形をなしている。排気筒の頂部２の軸心は、図１に一点鎖線Ａで示すように、頂部開口３の中心（図２に点Ａで示す）を通る。
【００１７】
（排気トップの構成）
排気トップ１０は、環状の排気口２２を有し、内部に排気通路２４が形成されるボディ２０を有する。本実施形態において、ボディ２０は、鉛直上側を形成する部分である上側ボディ３０と、鉛直下側を形成する部分である下側ボディ４０とを有する。各接続部５０は、鉛直方向に延びており、上側ボディ３０及び下側ボディ４０の双方に接合される部材（以下、鉛直方向部材と記す）５２と、排気筒の頂部２の外面２ａに接合される部材（以下、接続パッドと記す）５６とを有する。
【００１８】
図１に示すように、上側ボディ３０は、その底部３１が略水平方向に広がる皿状をなしており、排気筒の頂部開口３より鉛直上側に所定の間隔をあけて配置されている。一方、下側ボディ４０は、その底部４１が略水平方向に広がる皿状をなしており、詳細には、上側ボディ３０に比べて鉛直方向に深い皿状をなしている。上側ボディ３０の鉛直下側にある内面３３と、下側ボディ４０の鉛直上側にある内面４３との間には、排気筒の頂部開口３からのガスの流れを、後述する排気口２２に導く通路（以下、排気通路と記す）２４が形成される。
【００１９】
図２に示すように、上側ボディ３０と下側ボディ４０は、図２の上面図に示すように、略円形をなしており、排気筒と同軸に配置されている。下側ボディ４０の径方向外側の縁４５は、上側ボディ３０の径方向外側の縁３５に比べて径が大きい。下側ボディ４０の縁４５は、図１に示すように、上側ボディ３０の縁３５と、鉛直方向において略同一の高さに位置している。これらの縁３５，４５の間には、排気筒の頂部２の軸心Ａ周りに環状に延びており、ガスを大気中に放出する開口（以下、単に「排気口」と記す）２２が形成される。
【００２０】
排気口２２は、図２に示すように、排気筒の頂部開口３より鉛直上側であって当該頂部開口より径方向外側において環状且つ帯状に延びている。排気口２２は、鉛直上側に向けて開口している。排気トップ１０には、鉛直上側にガスを放出することが求められているためである。排気口２２は、排気通路２４のうち鉛直上側の端であり、排気筒の頂部開口３を通して当該排気通路２４に流入したガスは、全てが排気口２２を通して大気中に放出される。
【００２１】
排気通路２４は、図３に矢印Ｇ１で示すように、排気筒の頂部開口３を通してガスの流れを受ける。排気通路２４に流入したガスは、図３に矢印Ｇ２で示すように、上側ボディ３０の底部３１の近傍において流れの向きを変える。当該ガスは、矢印Ｇ３で示すように、排気通路２４内を径方向外側に流れる。より具体的には、下側ボディ４０の内面４３と上側ボディ３０の内面３３との間を、当該内面３３，４３に沿って径方向外側に流れる。すなわち、ボディ２０内に形成された排気通路２４は、頂部開口３からのガスの流れを、径方向外側に導く。
【００２２】
そして、排気通路２４を流れるガスは、上側ボディ３０のうち縁３５を含む部分の近傍において、図３に矢印Ｇ４で示すように、向きを変えて鉛直上側に流れる。本実施形態において、上側ボディ３０の縁３５を含む部分と下側ボディ４０の縁４５を含む部分は、ガスの流れの向きを、径方向外側から鉛直上側に変える。排気通路２４のうちこれらの間には、鉛直上側に向かうガスの流れが形成され、環状の排気口２２を通して大気中に放出される。
【００２３】
排気トップ１０は、上述したボディ２０（３０，４０）と排気筒の頂部２との間に配置されて当該排気筒の頂部２に接続する部分（以下、接続部と記す）５０を有する。本実施形態の排気トップ１０においては、接続部５０は、排気筒の頂部２のうち頂部開口３を囲う部分（以下、単に「開口縁部」と記す）４の径方向外側において鉛直方向に延びており、上側ボディ３０と下側ボディ４０とを接続する部材（以下、鉛直方向部材と記す）５２と、排気筒の頂部２と鉛直方向部材５２との間に配置されており、当該頂部２の外面２ａに接合される部材（以下、接続パッドと記す）５６とを含む。複数の接続パッド５６は、複数の鉛直方向部材５２と、一対一で対応して頂部２の外面２ａに配置される。
【００２４】
鉛直方向部材５２のうち、鉛直上側の端（以下、上端と記す）５３は、上側ボディ３０の底部３１に接合される。鉛直方向部材５２のうち、鉛直下側の端部（以下、下側端部と記す）５５と上端５３との間にある部分（以下、中間部と記す）５４は、下側ボディ４０の開口縁部４４に接合される。このようにして、上側ボディ３０と下側ボディ４０は、鉛直方向部材５２を介して接続されてボディ２０を形成する。
【００２５】
そして、鉛直方向部材５２の下側端部５５は、その対応する接続パッド５６の径方向外側に位置合わせされて、当該接続パッド５６に接合される。これにより、ボディ２０は、接続部５０すなわち鉛直方向部材５２及び接続パッド５６を介して排気筒の頂部２に接続される。本実施形態においては、複数の接続部５０が、排気筒の開口縁部４の周方向に間隔をあけて配列される。当該周方向に隣り合う接続部５０の間には、空隙（gap）８が形成される。排気口２２を通して排気通路２４内に流入した雨水は、当該空隙８を通して排気筒の頂部２の径方向外側に排出される。
【００２６】
また、排気トップ１０は、排気通路２４内のガスの流れに流動抵抗を生じさせる部材（以下、流動抵抗部材と記す）６０を有する。流動抵抗部材６０は、当該排気通路２４を横切って配置されている。流動抵抗部材６０は、複数の開口が配列された部材であり、当該開口を通るガスの流れに流動抵抗を生じさせる。本実施形態において、流動抵抗部材６０は、金属で構成された網状の部材であり、いわゆる金属製スクリーンである。
【００２７】
流動抵抗部材６０は、図１及び図２に示すように、排気筒の頂部２の径方向外側において略筒状をなしている。すなわち、排気通路２４のうち、排気筒の頂部開口３より鉛直上側の領域２４ａを囲っている。上述した空隙８は、当該流動抵抗部材６０に隣接して配置されている、複数の空隙８は、流動抵抗部材６０の径方向外側において周方向に配列されている。本実施形態において、流動抵抗部材６０のうち、鉛直下側の端部は、頂部２の外面に接合されている。一方、流動抵抗部材６０の鉛直上側の端部は、上側ボディ３０の底部３１の内面３３に接合されている。排気筒の頂部開口３から排気通路２４の中央にある領域２４ａに流入したガスの全ては、流動抵抗部材６０の開口６２を通して径方向外側に流れる。
【００２８】
また、排気トップ１０は、ボディ２０の鉛直上側に配置される板状の部材（以下、天板と記す）７０を有する。天板７０は、ボディ２０のうち上側ボディ３０の鉛直上側であって、環状の排気口２２の径方向内側に配置されており、上側ボディ３０を覆っている。天板７０は、その鉛直上側の外面７３で受けた雨水を、径方向外側にある環状の排気口２２に流す。これにより、皿状の上側ボディ３０上に雨水が溜まることが防止される。
【００２９】
本実施形態において、天板７０の外面７３は、頂角が１８０度より僅かに小さい略円錐面形状をなしている。外面７３は、環状の排気口２２に近接するに従って鉛直方向下側に位置するように水平方向に対して傾斜している。このような外面７３上に落ちた雨水は、図３に矢印Ｄ１で示すように、当該外面７３上を環状の排気口２２に向けて径方向外側に流れる、当該排気口２２を通して排気通路２４に流入する。
【００３０】
排気通路２４に流入した雨水は、図３に矢印Ｄ２及びＤ３で示すように、下側ボディ４０の内面４３上を、径方向内側に流れる。そして、矢印Ｄ４及びＤ５で示すように、下側ボディ４０の開口縁部４４と、排気筒の頂部２の開口縁部４の間にある空隙８を通して、排気筒の頂部２の径方向外側に排出される。なお、本実施形態において、頂部２の径方向外側にある流動抵抗部材６０は、頂部開口３よりも鉛直下側に延びている。このため、仮に、流動抵抗部材６０に雨水が付着することがあっても、当該雨水は、流動抵抗部材６０を伝って鉛直下側に流れ、当該頂部２の径方向外側に排出される。これにより、頂部開口３を通して排気筒内に雨水が流入することを防止することができる。
【００３１】
（排気トップを備えた排気筒の製造方法）
次に、本実施形態の排気トップ１０を備えた排気筒の製造方法について図１及び図２を参照して説明する。
【００３２】
（１Ａ．排気トップを形成する工程）
本実施形態の製造方法においては、まず、排気トップ１０を形成する。当該「排気トップを形成する工程」は、上述した環状の排気口２２及び排気通路２４とを有するボディ２０を形成する工程を含む。本実施形態においては、上側ボディ３０の底部３１に、複数の鉛直方向部材５２のそれぞれの上端５３を接合し、且つ下側ボディ４０の開口縁部４４に、複数の鉛直方向部材５２のそれぞれの中間部５４を接合する。これら上側ボディ３０及び下側ボディ４０と、鉛直方向部材５２は、例えば、溶接等により接合することができる。
【００３３】
これにより、上側ボディ３０の鉛直上側の縁３５と下側ボディ４０の鉛直上側の縁４５との間には、環状の排気口２２が形成され、上側ボディ３０の内面３３と下側ボディ４０の内面４３との間には、当該排気口２２に連通する排気通路２４が形成される。なお、「排気トップを形成する工程」には、上側ボディ３０に天板７０を接合する工程を含むことも好適である。
【００３４】
（１Ｂ．接続パッドを接合する工程）
また、本実施形態の製造方法は、上述した「排気トップを形成する工程」と前後して、当該排気トップ１０のボディ２０を、排気筒の頂部２に接続するための接続パッド５６を、当該排気筒の頂部２の外面２ａに接合する。この「接続パッドを接合する工程」においては、排気筒の頂部２の外面２ａのうち鉛直方向部材５２の鉛直下側にある下側端部５５に対応する位置に、接続パッド５６を接合する。本実施形態においては、複数の鉛直方向部材５２のそれぞれの下側端部５５に一対一で対応する複数の接続パッド５６を、頂部２の外面２ａに接合する。なお、接続パッド５６を頂部２の外面２ａに接合した後、上述した流動抵抗部材６０を当該外面２ａに接合することも好適である。
【００３５】
（２．排気トップを排気筒の頂部に結合する工程）
その後、鉛直方向部材５２の鉛直下側にある下側端部５５を、接続パッド５６と重ね合わせて、排気トップ１０を排気筒の頂部２に結合する。当該「排気トップを排気筒の頂部に結合する工程」においては、鉛直方向部材５２の下側端部５５を、対応する接続パッド５６と重ね合わせて排気トップ１０を排気筒の頂部２に結合する。本実施形態においては、下側端部５５と接続パッド５６を、例えば溶接等により接合する。
【００３６】
以上のようにして排気トップ１０を備えた排気筒が製造される。なお、上述した上側ボディ３０に天板７０を接合する工程は、排気トップ１０が排気筒の頂部２に結合された後に行われるものとしても良い。また、流動抵抗部材６０は、「排気トップを形成する工程」において上側ボディ３０の底部３１に結合されるものとしても良い。
【００３７】
以上に説明したように本実施形態の排気トップ１０は、排気筒の頂部２の開口である頂部開口３より鉛直上側であって当該頂部開口３より径方向外側において環状に延びており且つ当該頂部開口３からの水素を含むガスを鉛直上側に向けて大気中に放出する環状の排気口２２と、当該頂部開口３からのガスの流れを、径方向外側に導いた後、鉛直上側にある前記排気口２２に導く排気通路２４と、を有するボディ２０を、備える。排気筒のうち頂部開口３を囲う部分である開口縁部４と、前記ボディ２０との間、詳細には、下側ボディ４０のうち鉛直下側にある開口縁部４４との間には、排気口２２を通して排気通路２４に流入した雨水を、排気筒外、具体的には、頂部２の径方向外側に排出可能な空隙８が、形成されているものとした。
【００３８】
本実施形態の排気トップ１０によれば、雨水が直接、頂部開口３を通して排気筒内に侵入することを防止しつつ、排気筒の頂部開口３からの水素を含むガスを、環状の排気口２２を通して鉛直上側に大気中に放出することができる。当該排気口２２を通して排気通路２４に流入した雨水は、排気筒のうち頂部開口３を囲う部分である開口縁部４とボディ２０の鉛直下側の開口縁部４４との間に形成された空隙８を通して排気筒外に排出することができる。
【００３９】
また、排気トップ１０は、排気筒の頂部２とボディ２０との間に配置されて当該ボディ２０を当該頂部２に接続する複数の接続部５０を有する。当該複数の接続部５０は、開口縁部４の周方向に間隔をあけて配列されており、空隙８は、当該周方向に隣り合う２つの接続部５０の間に、形成されているものとした。すなわち、複数の空隙８が、開口縁部４の径方向外側において周方向に配列されている。これにより、排気口２２を通して排気通路２４に流入した雨水を、周方向において略均一に排気筒外に排出することができる。
【００４０】
また、排気トップ１０は、排気通路２４を横切って空隙８の近傍に配置されており、複数の開口６２が配列されており、当該開口６２を通るガスの流れに流動抵抗を生じさせる流動抵抗部材６０を、さらに備えるものとした。これにより、排気通路２４のうち空隙８の近傍にガスの流速が高く静圧が低い領域を形成することができ、当該空隙８からガスが漏れることを抑制することができる。
【００４１】
また、本実施形態において、流動抵抗部材６０は、金属で構成された網状の部材であるものとした。これにより、排気筒内や排気トップにおいて水素を含むガスが、何らかの理由により着火した場合であっても、排気通路２４に配置された流動抵抗部材６０において火炎の伝播を防止することができる。
【００４２】
〔第２の実施形態〕
本実施形態の排気トップについて図４を参照して説明する。図４は、本実施形態に係る排気トップの部分断面図であり、排気トップの断面立面と、正面とを示す図である。なお、第１の実施形態と略共通の構成については、略同一の符号を付して説明を省略する。
【００４３】
本実施形態において、排気トップ１０Ｂは、ボルト８０を用いて排気筒に結合される。排気筒の頂部２に接合される接続パッド５６Ｂには、ボルト８０の雄ねじ８２と螺合可能な雌ねじ５８が形成されている。また、鉛直方向部材５２Ｂのうち鉛直下側にある下側端部５５Ｂには、当該ボルト８０の雄ねじを通す通し穴５７が形成されている。
【００４４】
本実施形態の製造方法においては、下側端部５５Ｂに通し穴５７が形成された鉛直方向部材５２Ｂのうち、上端５３と上側ボディ３０とを接合し、且つ、当該上端５３と下側端部５５Ｂとの間にある中間部５４と下側ボディ４０とを接合して、排気トップ１０Ｂを形成する。一方、排気筒の頂部２の外面２ａには、予め雌ねじ５８が形成された接続パッド５６Ｂを、接合する。
【００４５】
そして、排気トップ１０Ｂのうち、鉛直方向部材５２Ｂの下側端部５５Ｂにある通し穴５７が、排気筒に接合された接続パッド５６Ｂの雌ねじ５８と重ね合さるように位置合わせをした状態で、ボルト８０の雄ねじ８２を、当該通し穴５７に通して、当該雄ねじ８２を雌ねじ５８と螺合させる。複数の鉛直方向部材５２Ｂの下側端部５５Ｂを、一対一で対応する複数の接続パッド５６Ｂに重ね合わせて、それぞれボルト８０を用いて結合することにより、排気トップ１０Ｂを、排気筒の頂部２に強固に固定することができる。また、ボルト８０を用いて結合するため、メンテナンスで必要な場合などに、取り外したり再度結合したりすることができる。
【００４６】
〔第３の実施形態〕
本実施形態の排気トップについて図５及び図６を参照して説明する。図５は、本実施形態に係る排気トップの部分断面図であり、排気トップの断面立面と、正面とを示す図である。図６は、本実施形態に係る排気トップの上面図であり、上側ボディが天板で覆われた上面と、天板及び上側ボディの底部を省略した上面とを示す図である。なお、第１の実施形態と略共通の構成については、略同一の符号を付して説明を省略する。
【００４７】
本実施形態の排気トップ１０Ｃは、排気通路２４への鳥の侵入を防止可能なスクリーン（以下、バードスクリーンと記す）７７を有する。バードスクリーン７７は、排気トップ１０Ｃの環状の排気口２２を覆うように配置されている。バードスクリーン７７のメッシュの大きさは、上述した流動抵抗部材６０の開口に比べて大きいものである。バードスクリーン７７は、雨水やガスの通過を妨げることはない。バードスクリーン７７のメッシュの大きさは、排気通路２４への侵入の防止が望まれる鳥や異物等の大きさに合わせて設定、選択される。本実施形態によれば、鳥や比較的大きい異物が、環状の排気口２２を通して排気通路２４に侵入することを防止することができる。
【００４８】
〔第４の実施形態〕
本実施形態の排気トップについて図７を参照して説明する。図７は、本実施形態に係る排気トップの部分断面図であり、排気トップの断面立面と、正面とを示す図である。なお、第１の実施形態と略共通の構成については、略同一の符号を付して説明を省略する。
【００４９】
本実施形態の排気トップ１０Ｄは、その落下を防止するための構造として、ボディ２０Ｄには、ワイヤー等が接続されたフックと係合可能な係合部２６を有する。本実施形態において、係合部２６は、ボディ２０のうち下側ボディ４０の外面４６から突出するリング状をなしている。当該係合部２６には、ワイヤーやフックを通す貫通孔２７が形成されている。
【００５０】
ワイヤーが接続されたフックが係合部２６に係合することにより、排気トップ１０Ｄは、仮に、地震等の想定外の事象により、接続部５０（例えば、鉛直方向部材５２）が破損することがあっても、排気筒の頂部２から地面等に落下することを防止することができる。
【００５１】
[他の実施形態］
【００５２】
上述した各実施形態において、流動抵抗部材６０は、金属で構成された網状の部材であるものとしたが、本発明に係る流動抵抗部材は、この態様に限定されるものではない。流動抵抗部材は、複数の開口が配列されており、当該開口を通るガスの流れに流動抵抗を生じさせるものであれば良い。例えば、本発明に係る流動抵抗部材には、多数の貫通孔が配列された板状の部材を用いることもできる。
【００５３】
また、各実施形態において、ボディ２０，２０Ｄは、頂部開口３より鉛直上側において略水平方向に広がっており、排気通路２４に面する上側ボディ３０と、排気筒の頂部２の開口縁部４から径方向外側に所定の間隔をあけて配置されており、接続部５０から径方向外側に広がっており、排気通路２４に面している下側ボディ４０とを含むものとしたが、本発明に係るボディは、この態様に限定されるものではない。ボディは、上述した環状の排気口２２と、上述した排気通路２４とを有するものであれば良く、例えば、単数のボディで構成するものとしても良い。
【００５４】
また、各実施形態において、接続部は、鉛直方向に延びておりボディ２０に接合される複数の鉛直方向部材５２と、排気筒の頂部２の外面２ａに接合される複数の接続パッドを含むものとしたが、本発明に係る接続部は、この態様に限定されるものではない。接続部は、排気筒の頂部２とボディ２０との間に配置されて当該ボディ２０を当該頂部２に接続するものであれば良く、様々な形状の部材で実現することができる。
【００５５】
本発明のいくつかの実施形態について説明したが、これらの実施形態は、例として提示したものであり、発明の範囲を限定することは意図していない。これら新規な実施形態はその他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５６】
２：頂部（排気筒の頂部）、２ａ：外面（排気筒の頂部の外面）、３：頂部開口（排気筒の頂部の開口）、４：開口縁部（排気筒の頂部の開口を囲う縁部）、８：空隙、１０，１０Ｂ，１０Ｃ，１０Ｄ：排気トップ、２０，２０Ｄ：ボディ、２２：排気口、２４：排気通路、２４ａ：領域（排気通路）、２６：係合部（ボディ）２７：貫通孔（係合部）、３０：上側ボディ（ボディ）、３１：底部（上側ボディの底部）、３３：内面（上側ボディ）、３５：縁（上側ボディ）、４０：下側ボディ、４１：底部（下側ボディの底部）、４３：内面（下側ボディ）、４４：開口縁部（下側ボディの鉛直下側の開口縁部）、４５：縁（下側ボディ）、４６：外面（下側ボディ）、５０：接続部、５２，５２Ｂ：鉛直方向部材（接続部）、５３：上端（鉛直方向部材）、５４：中間部（鉛直方向部材）、５５，５５Ｂ：下側端部（鉛直方向部材の下側の端部）、５６，５６Ｂ：接続パッド（接続部）、５７：通し穴（鉛直方向部材）、５８：雌ねじ（接続パッド）、６０：流動抵抗部材（網状の部材）、６２：開口（流動抵抗部材）、７０：天板、７３：外面（天板）、７７：バードスクリーン、８０：ボルト、８２：雄ねじ（ボルト）
【図１】
2020094738.tif 000003
【図２】
2020094738.tif 000004
【図３】
2020094738.tif 000005
【図４】
2020094738.tif 000006
【図５】
2020094738.tif 000007
【図６】
2020094738.tif 000008
【図７】
2020094738.tif 000009
【手続補正書】
【提出日】令和2年4月1日(2020.4.1)
【手続補正１】
【補正対象書類名】特許請求の範囲
【補正対象項目名】請求項１４
【補正方法】変更
【補正の内容】
【請求項１４】
請求項１ないし請求項１３のいずれか一項に記載の排気トップを備えた前記排気筒を有することを特徴とする施設。